(57)【要約】【課題】チャッキング精度を向上させた縦置型のディスクプレーヤを提供する。【解決手段】ディスクを縦姿勢で保持し筐体の挿入口から出没可能に配設されたトレイと、前記筐体内で前記ディスクを回転させるためのターンテーブルと、前記ターンテーブルを回転させるスピンドルモータが固定されるメカシャーシと、前記ターンテーブルに載置される前記ディスクを該ターンテーブルとは逆側から押圧するクランプ部材と、前記クランプ部材を支持するチャッキングプレートとを含む、ディスクプレーヤであって、前記チャッキングプレートが前記メカシャーシに固定されると共に、前記筐体内に収納された前記ディスクをチャッキング位置に誘導する案内部材が前記チャッキングプレートに形成されている。【選択図】        図５
2004265543.tif 000002
【特許請求の範囲】
【請求項１】
ディスクを縦姿勢で保持し筐体の挿入口から出没可能に配設されたトレイと、前記筐体内で前記ディスクを回転させるためのターンテーブルと、前記ターンテーブルを回転させるスピンドルモータが固定されるメカシャーシと、前記ターンテーブルに載置される前記ディスクを該ターンテーブルとは逆側から押圧するクランプ部材と、前記クランプ部材を支持するチャッキングプレートとを含む、ディスクプレーヤであって、
前記チャッキングプレートが前記メカシャーシに固定されると共に、前記筐体内に収納された前記ディスクをチャッキング位置に誘導する案内部材が前記チャッキングプレートに形成されている、ことを特徴とするディスクプレーヤ。
【請求項２】
前記案内部材は、前記チャッキングプレートと一体に形成されている、ことを特徴とする請求項１に記載のディスクプレーヤ。
【請求項３】
前記案内部材が、前記チャッキングプレートの一部を切欠いて形成した舌片状の突起部を含む、ことを特徴とする請求項１に記載のディスクプレーヤ。
【請求項４】
前記案内部材は、上下方向において、前記ターンテーブルの略真下位置に形成されている、ことを特徴とする請求項３に記載のディスクプレーヤ。
【請求項５】
前記メカシャーシは、筐体内のメインシャーシに対して、緩衝部材を介して固定されている、ことを特徴とする請求項１から４のいずれか一項に記載のディスクプレーヤ。
【発明の詳細な説明】
【０００１】
【発明の属する技術分野】
本発明はＣＤ−ＲＯＭ、ＣＤ−Ｒ、ＣＤ−ＲＷ、ＤＶＤ−ＲＯＭ、ＤＶＤ±Ｒ／ＲＷ等のディスクを用いて情報を記録し、また情報を再生するディスクプレーヤに関する。さらに詳細には、筐体内に縦姿勢のディスクを装填できるディスクプレーヤに関する。
【０００２】
【従来の技術】
情報記録媒体としてＣＤ等のディスクを用いるディスクプレーヤが広く普及している。また、近年のディスクプレーヤについては、設置面積を狭くするため、ディスクを縦姿勢で装填（ローディング）できるようにした装置が多い提供されるようになっている。図１は、縦姿勢でディスクをローディングできる従来のディスクプレーヤについて示した図である。図１（Ａ）は、ディスクプレーヤの外観を示し、図１（Ｂ）はディスクが縦姿勢で載置されるトレイを抜き出して示した図である。
【０００３】
図１のディスクプレーヤ１００で、ディスクＤはトレイ１０１に縦姿勢で保持される。トレイ１０１は、筐体１０２の挿入口１０６から出没可能に設定されている。よって、トレイ１０１は、図１（Ａ）に示すような突出した状態でディスクＤを保持してから、筐体１０２内にローディングされる。なお、トレイ１０１は、中央部にディスクＤを収納する凹部１０３及びこの凹部１０３に収納されたディスクＤが抜け出さないように規制するリブ１０４を備えている。また、凹部１０３の中央部には切欠空間１０５が形成され、筐体１０２内の光ピックアップ装置によりディスクＤに対して情報の書込や情報の再生が行えるようになっている。
【０００４】
このように、ディスクＤを縦姿勢で筐体内にする上記ディスクプレーヤ１００では、水平状態でディスクＤをローディングする場合と比較して、ディスクの高さ位置を補正する機構が設けられている。この点に関して図２を示して説明する。図２は、図１に示す筐体１０２に収納されている従来のメインシャーシ１１０を示した図である。この図２は、内部が確認し易いように、メインシャーシ１１０を倒した状態にして示している。メインシャーシ１１０は、矢印ＤＷが下、矢印ＴＰが上となる縦姿勢で、筐体１０２内に収納される。そして、矢印ＦＲで示す方向へトレイ１０１が進入するようになっている。
【０００５】
図２で、１２１は図示しないスピンドルモータにより回転されるターンテーブル、１２２は、案内棒１２３、１２３に沿って移動する光ピックアップ装置である。これらスピンドルモータ、ターンテーブル１２１および光ピックアップ装置１２２は、メインシャーシ１１０内に固定されるメカシャーシ１２０により固定されている。さらに、図３は図２のメカシャーシ１２０を取り出して示した図である。メカシャーシ１２０は、取付け部１２７−１〜１２７−４でメインシャーシ１１０に取り付けられる。その際、取付け部１２７−１について一例を示すように弾性を備えた緩衝部材（ダンパ）１２８を介して、メインシャーシ１１０に固定される。このようにダンパ１２８を介在させるのは、筐体に加えられた衝撃や振動がメインシャーシ１１０を介し、光ピックアップ装置等を保持しているメカシャーシ１２０に伝播するのを抑制するためである。
【０００６】
さらに、再度、図２を参照して、縦姿勢でディスクをローディングするディスクプレーヤに特有の従来構造について説明する。メインシャーシ１１０の下側（ＤＷ）には、トレイに載置され筐体内に入ってくる縦姿勢のディスク下端を案内する案内部材１１５が配設されている。この案内部材１１５はメインシャーシ１１０の内部に臨むように配置させたリブを備えている。このリブにより、ディスクの下端を上方（図２では右方向）に持ち上げて、ディスク中心位置がターンテーブル１２１の中心位置（スピンドルモータの回転中心）に来るように修正する。このようにディスクの高さ位置を補正して、精度良いチャッキングが実現できるようにしている。
【０００７】
【発明が解決しようとする課題】
しかしながら、縦姿勢でディスクをローディングするディスクプレーヤは、狭い面積に荷重が加わる設計となる。一般に、ターンテーブル１２１やこれを回転させるスピンドルモータおよび光ピックアップ装置１２２等を支持するメカシャーシ１２０はダンパ１２８を介してメインシャーシに固定されるので下方にずれる傾向がある。すなわち、メカシャーシ１２０には、スピンドルモータ等の比較的荷重のある部品が搭載されており、これがゴム等の弾性材を用いたダンパ１２８を介してメインシャーシ１１０に接続（フローティング）されているので、重いメカシャーシ１２０がメインシャーシ１１０に対して沈み込む場合がある。このように、メカシャーシ１２０が沈み込んでしまうと、ディスクのチャッキング精度を高めるためにメインシャーシ１１０に設けた案内部材１１５との相対位置が変化してしまう。その結果、案内部材１１５とターンテーブル１２１の中心位置（スピンドルモータ軸）との距離が変化するので、チャッキング精度が低下するという問題が生じる。
【０００８】
また、上記のように弾性のダンパ１２８を介して、メカシャーシ１２０がメインシャーシ１１０上にフローティングされているので、外部から振動・衝撃が加わった際にはその反動で、メインシャーシ１１０上でメカシャーシ１２０がより大きく揺れ動く状態が形成されてしまう。チャッキングした後のディスクＤ端部と案内部材１１５とが接触すると、情報の書き込みや再生不良の原因となるばかりでなく、ディスクが破損する虞もある。そのため、従来においては、ターンテーブル１２１にチャッキングした後のディスクＤ端部と案内部材１１５との衝突が発生しないように広めのクリアランスを確保する必要があった。
【０００９】
したがって、本発明の目的は、前述した従来の課題を解決して、従来と比較してチャッキング精度を向上させることができる縦置型のディスクプレーヤを提供することである。
【００１０】
【課題を解決するための手段】
上記目的は、請求項１に記載するように、ディスクを縦姿勢で保持し筐体の挿入口から出没可能に配設されたトレイと、前記筐体内で前記ディスクを回転させるためのターンテーブルと、前記ターンテーブルを回転させるスピンドルモータが固定されるメカシャーシと、前記ターンテーブルに載置される前記ディスクを該ターンテーブルとは逆側から押圧するクランプ部材と、前記クランプ部材を支持するチャッキングプレートとを含む、ディスクプレーヤであって、
前記チャッキングプレートが前記メカシャーシに固定されると共に、前記筐体内に収納された前記ディスクをチャッキング位置に誘導する案内部材が前記チャッキングプレートに形成されているディスクプレーヤにより達成される。
【００１１】
本発明によると、ディスクをチャッキング位置に誘導する案内部材が前記チャッキングプレートに形成されているので、仮にメカシャーシが自重で沈みこんだとしてもターンテーブルと案内部材の位置が変化することがない。よって、本発明によると、常に安定してディスクを適正なチャッキング位置に誘導することができる。また、外部から衝撃あるいは振動を受けた場合やディスクの回転に伴う振動が発生した場合には、メカシャーシと案内部材とが一体的に振動するので、この両者の相対位置は変化しない。よって、チャッキング後のディスク端面と案内部材との衝突を考慮して大きくクリアランスを取るという従来の構造を採用する必要がなくなる。
【００１２】
なお、前記案内部材は、前記チャッキングプレートと一体に形成することが好ましい。例えば前記案内部材には、前記チャッキングプレートの一部を切欠いて形成した舌片状の突起部を含むことができる。このような案内部材は、チャッキングプレートを製造する工程に簡易な変更を加えるだけで、形成できるので簡易かつ低コストで実現できる。なお、前記案内部材は、上下方向において、前記ターンテーブルの略真下位置に形成することで、ディスクの下端を支持してチャッキング位置補正ができる。また、前記メカシャーシは、従来と同様に筐体内のメインシャーシに対して緩衝部材を介して固定することができる、メカシャーシがメインシャーシに対して自重で沈み込んでも、案内部材とターンテーブルの相対位置は変化しないので、従来のような問題を生じることはない。
【００１３】
なお、ディスクを縦姿勢で保持し筐体の挿入口から出没可能に配設されたトレイと、前記筐体内で前記ディスクを回転させるためのターンテーブルと、前記ターンテーブルを回転させるスピンドルモータが固定されるメカシャーシと、前記筐体内に収納される前記ディスクをチャッキング位置に誘導する案内部材とを、含むディスクプレーヤであって、前記案内部材が、前記メカシャーシと同期して振動する位置に形成されているディスクプレーヤとすることによっても目的を達成できる。
【００１４】
この場合は、案内部材が、メカシャーシと同期して振動する位置に形成されているので、仮にメカシャーシが自重で沈みこんだとしてもターンテーブルと案内部材の位置が変化することがない。よって、案内部材が常に安定してディスクをチャッキング位置に誘導できる。また、外部から衝撃等を受けた場合には、メカシャーシと案内部材が同期して振動するので、この両者の相対位置は変化しない。よって、チャッキング後のディスク端面と案内部材との衝突の防止のためにクリアランスを大きく取る必要がなくなる。
【００１５】
【発明の実施の形態】
以下、図面に基づいて本発明の実施例に係る、縦姿勢でディスクをローディングするディスクプレーヤについて説明する。なお、本実施例のディスクプレーヤの基本的な構造は、前述した従来のディスクプレーヤと同様である。よって、従来のディスクプレーヤと同一である部分については先に示した図、符号を適宜、流用して本実施例を説明する。
【００１６】
本実施例のディスクプレーヤも、図１で示した従来装置と同様に、ディスクＤがトレイ１０１に縦姿勢で保持される。トレイ１０１は、筐体１０２の挿入口１０６から出没可能である。筐体１０２内にはメインシャーシを同様に備え、このメインシャーシには、光ピックアップ装置等を支持するメカシャーシが例えば緩衝材となるゴム製のダンパを介して接続されている。
【００１７】
しかし、本ディスクプレーヤでは、このメインシャーシとメカシャーシとの関係が、従来のディスクプレーヤとは異なる。図４は、本ディスクプレーヤ１の筐体内からメインシャーシ１０を取り出し、その一部を拡大して示した図である。このメインシャーシ１０には、メカシャーシ２０が弾性を有するダンパ２８を介して、ネジ２９によりネジ止め固定されている。なお、図４では縦姿勢のディスクが右方向からローディングされる状態でメインシャーシ１０が示されている。
【００１８】
この図４で、メカシャーシ２０を縦方向に跨ぐようにチャッキングプレート３０が配置されている。このチャッキングプレート３０は、その中央部にクランプ部材３２が保持されている。このクランプ部材３２の下にターンテーブルが位置している。クランプ部材３２とターンテーブルには例えば磁石と金属プレートとの組合せのような磁力発生機構が配備されている。ディスクＤがチャッキング位置に達したときに、この両者を所定距離にまで近づけるとディスクＤが挟まれ、ターンテーブル上にチャッキングされる。なお、図４では、チャッキングプレート３０がメカシャーシ２０上を覆うように配設されるので、その下が確認できないが本ディスクプレーヤ１でも従来と同様に、ターンテーブル、光ピックアップ装置等がメカシャーシ２０に固定されている。図４では、光ピックアップ装置１２２およびこれを案内する案内棒１２３の一部が確認できる。
【００１９】
従来においては、チャッキングプレート３０は上記のようにクランプ部材３２を支持するために配設されていた。しかし、本実施例のディスクプレーヤ１では、このチャッキングプレート３０に縦姿勢でローディングされるディスクＤの下端を案内する案内部材が形成されている。この案内部材については、次の図５および図６を用いて詳細に説明する。
【００２０】
図５は、図４に示したチャッキングプレート３０を取り出して示した図であり、同図（Ａ）はチャッキングプレート３０の平面図、（Ｂ）は同側面図を示している。また、図６は、図５の円内ＣＲを拡大して示した図である。このチャッキングプレート３０は、側面から見るとメカシャーシ２０を跨ぐような橋型の形状をしており、取付け部３１によりメカシャーシ２０の端部に固定されている。このチャッキングプレート３０は、橋構造の下部にトレイに載置されたディスクＤが進入できるように設計されている（図１参照）。
【００２１】
このチャッキングプレート３０の下側には、ディスクＤをチャッキング位置に誘導する案内部材３５が形成されている。この案内部材３５は、図６で拡大して示すように、前記筐体内にローディングされてくるディスクＤの下端部をチャッキング位置に誘導できるように、例えばターンテーブルの回転中心のほぼ真下に配設される。この案内部材３５は例えば次のようにチャッキングプレート３０と一体に形成されている。金属製のチャッキングプレート３０をプレス加工で形成する際に開口３５Ａを打抜き、その一部を舌状に残す。そして、この舌状の部分を内側に折り曲げて突出した舌片状の突起部３５Ｂとする。この突起部３５Ｂを略水平に形成してこの上にディスクＤが載り上がるように配置することで、図６に示すように、チャッキング位置にディスクＤを誘導するようにしている。
【００２２】
本ディスクプレーヤ装置１によると、メカシャーシ２０にチャッキングプレート３０が固定され、このチャッキングプレート３０に案内部材３５が形成されているので、メカシャーシ２０が自重により沈み込んでしまった場合にも、案内部材３５とターンテーブルとの距離は変化しない。よって、従来と比較して、精度良いチャッキングが実現できる。また、筐体に外部から衝撃が加わり振動が発生したような場合でも、案内部材３５とターンテーブルとが同期して振動するので、チャッキング後においてディスク端部が案内部材３５に衝突することはない。よって、ディスク端部と案内部材３５とのクリアランスを従来と比較して狭くしても、振動でディスク端部が案内部材３５に接触し、書込み或いは再生エラーが発生することはない。なお、図４および図５に示すように案内部材３５を上下に同様に設けることで、上下が逆転した場合も同等に対処できる構造が実現される。もちろん、上下方向の配置が規定されているディスクプレーヤ装置の場合には、下側のみに案内部材３５を設ければよい。
【００２３】
上記実施例では、案内部材３５をチャッキングプレート３０に一体に設けることで、簡易且つ低コストでディスク下端を案内する構造例を示した。しかし、このような構成に限らず、案内部材３５がメカシャーシ２０に同期して振動する位置に配置されていればよい。例えば、簡易な変形例として、メカシャーシ２０自体に前述した案内部材３５と同様の効果を奏する案内部材を設けた構造を採用してもよい。
【００２４】
以上、本発明の好ましい実施例について詳述したが、本発明は係る特定の実施形態に限定されるものではなく、特許請求の範囲に記載された本発明の要旨の範囲内において、種々の変形・変更が可能である。例えば、本発明は縦姿勢のディスクのみをローディングするディスクプレーヤに限定するものではなく、水平状態のディスクも装填できる機能を備えていても良いことは言うまでもない。
【００２５】
【発明の効果】
以上、詳述したところから明らかなように、本発明によれば、ディスクをチャッキング位置に誘導する案内部材が前記チャッキングプレートに形成されているので、仮にメカシャーシが自重で沈みこんだとしてもターンテーブルと案内部材の位置が変化することがない。よって、常に安定してディスクを適正なチャッキング位置に誘導することができる。また、メカシャーシと案内部材とが一体的に振動するので、この両者の相対位置は変化しない。よって、チャッキング後のディスク端面と案内部材との衝突を考慮して大きくクリアランスを取るという従来の構造を採用する必要がなくなる。
【図面の簡単な説明】
【図１】縦姿勢でディスクをローディングできる従来のディスクプレーヤについて示した図である。
【図２】図１に示す筐体に収納されている従来のメインシャーシを示した図である。
【図３】図２のメカシャーシを取り出して示した図である。
【図４】実施例のディスクプレーヤの筐体内からメインシャーシを取り出し、その一部を拡大して示した図である。
【図５】図４に示したチャッキングプレートを取り出して示した図である。
【図６】図５の円内ＣＲを拡大して示した図である。
【符号の説明】
Ｄ                  ディスク
１、１００          ディスクプレーヤ
１０                メインシャーシ
２０                メカシャーシ
２８                ダンパ（緩衝部材）
３０                チャッキングプレート
３５                案内部材
３５Ｂ              舌片状の突起部
３２                クランプ部材
１０１              トレイ
１０６              挿入口
１２１              ターンテーブル
【図１】
2004265543.tif 000003
【図２】
2004265543.tif 000004
【図３】
2004265543.tif 000005
【図４】
2004265543.tif 000006
【図５】
2004265543.tif 000007
【図６】
2004265543.tif 000008